(57)【特許請求の範囲】
【請求項１】
メッセージを保存する複数のメッセージ制御局と、複数の交換局とを具備し、前記交換局のうち必要なものを介して、加入者から送信されたメッセージをいずれかのメッセージ制御局に到達させるとともに、前記交換局のうち必要なものを介して、メッセージ制御局に保存されたメッセージをその宛先である加入者に到達させるメッセージ転送システムにおいて、
前記加入者からメッセージ転送要求が送信されたときにメッセージ制御局を所定の方法により選択する第１の選択手段と、
前記加入者からメッセージ転送要求が送信されたときに、当該加入者によって送信され、未だに宛先に配信されていない待機メッセージがいずれかのメッセージ制御局に保存されているか否かを判断し、当該待機メッセージが存在しない場合には、前記第１の選択手段によって選択されたメッセージ制御局を前記メッセージ転送要求に基づいて送信されるメッセージの保存先として選択し、当該待機メッセージが存在する場合には、当該待機メッセージを保存しているメッセージ制御局を前記メッセージ転送要求に基づいて送信されるメッセージの保存先として選択する第２の選択手段と
を網内に具備することを特徴とするメッセージ転送システム。
【請求項２】
各加入者毎に、当該加入者によって送信され、宛先である加入者に配信されていない待機メッセージの有無と、当該待機メッセージの保存先であるメッセージ制御局のアドレスとを含む待機メッセージ有無情報を記憶する記憶手段を網内に具備し、
前記第２の選択手段は、前記加入者からメッセージ転送要求が送信されたときに、前記記憶手段に記憶された当該加入者に対応した待機メッセージ有無情報に基づき、当該加入者によって送信された待機メッセージの有無および当該待機メッセージの保存先を判断することを特徴とする請求項１に記載のメッセージ転送システム。
【請求項３】
前記交換局のうち必要なものを介して、加入者から送信されたメッセージをいずれかのメッセージ制御局に到達させる接続処理の制御を行うとともに、前記交換局のうち必要なものを介して、メッセージ制御局に保存されたメッセージをその宛先である加入者に到達させる接続処理の制御を行うサービス制御局を具備することを特徴とする請求項１または２に記載のメッセージ転送システム。
【請求項４】
各加入者から送信されたメッセージを各メッセージ制御局に到達させる接続処理を行うための制御情報と、各メッセージ制御局に保存されたメッセージを各加入者に到達させる接続処理を行うための制御情報とを記憶するサービス制御局を具備し、
関係する前記交換局が、前記サービス制御局に記憶された制御情報を参照することにより、加入者から送信されたメッセージを前記第２の選択手段によって選択されたメッセージ制御局に到達させる接続処理と、当該メッセージ制御局に保存されたメッセージをその宛先である加入者に到達させる接続処理とを自律的に実行することを特徴とする請求項１または２に記載のメッセージ転送システム。
【請求項５】
前記交換局が前記第１の選択手段を具備し、前記サービス制御局が前記第２の選択手段を具備することを特徴とする請求項３または４に記載のメッセージ転送システム。
【請求項６】
前記サービス制御局が前記第１の選択手段および第２の選択手段を具備することを特徴とする請求項３または４に記載のメッセージ転送システム。
【請求項７】
前記交換局のいずれかに接続された複数の無線基地局と、前記無線基地局を介して他者との通信を行う移動端末機とを具備し、
前記サービス制御局は、いずれかの無線基地局に移動端末機が在圏したときに、当該移動端末機宛ての待機メッセージがいずれかのメッセージ制御局に保存されているか否かを判断し、当該待機メッセージが保存されている場合にはその保存先であるメッセージ制御局から当該移動端末機の在圏先である無線基地局までの接続制御を行って、当該メッセージ制御局に待機メッセージの配信を指令することを特徴とする請求項３に記載のメッセージ転送システム。
【請求項８】
前記交換局のいずれかに接続された複数の無線基地局と、前記無線基地局を介して他者との通信を行う移動端末機を具備し、
前記交換局は、当該交換局に接続された無線基地局に移動端末機が在圏したときに、当該移動端末機宛ての待機メッセージがいずれかのメッセージ制御局に保存されているか否かを判断し、当該待機メッセージが保存されている場合には、その保存先であるメッセージ制御局から当該移動端末機の在圏先である無線基地局までの接続処理を、関係する他の交換局と協働して実行し、当該メッセージ制御局に待機メッセージの配信を指令する手段を具備することを特徴とする請求項４に記載のメッセージ転送システム。
【請求項９】
メッセージを保存する複数のメッセージ制御局と、複数の交換局とを具備し、前記交換局のうち必要なものを介して、加入者から送信されたメッセージをいずれかのメッセージ制御局に到達させるとともに、前記交換局のうち必要なものを介して、メッセージ制御局に保存されたメッセージをその宛先である加入者に到達させるメッセージ転送システムにおけるメッセージ転送方法において、
前記加入者からメッセージ転送要求が送信されたときにメッセージ制御局を所定の方法により選択する第１の選択処理と、
前記加入者からメッセージ転送要求が送信されたときに、当該加入者によって送信され、未だに宛先に配信されていない待機メッセージがいずれかのメッセージ制御局に保存されているか否かを判断し、当該待機メッセージが存在しない場合には、前記第１の選択処理によって選択されたメッセージ制御局を前記メッセージ転送要求に基づいて送信されるメッセージの保存先として選択し、当該待機メッセージが存在する場合には、当該待機メッセージを保存しているメッセージ制御局を前記メッセージ転送要求に基づいて送信されるメッセージの保存先として選択する第２の選択処理と
を網内の装置が実行することを特徴とするメッセージ転送方法。
【請求項１０】
前記メッセージ転送要求を受け取った交換局が前記第１の選択処理を実行し、網内のサービス制御局が前記第２の選択処理を実行することを特徴とする請求項９に記載のメッセージ転送方法。
【請求項１１】
網内のサービス制御局が、前記第１の選択処理および前記第２の選択処理を実行することを特徴とする請求項９に記載のメッセージ転送方法。
【請求項１２】
メッセージを保存する複数のメッセージ制御局と、複数の交換局とを具備し、前記交換局のうち必要なものを介して、加入者から送信されたメッセージをいずれかのメッセージ制御局に到達させ、前記交換局のうち必要なものを介して、メッセージ制御局に保存されたメッセージをその宛先である加入者に到達させるメッセージ転送システムにおけるサービス制御装置において、
前記加入者からメッセージ転送要求が送信されたときにメッセージ制御局を所定の方法により選択する第１の選択手段と、
前記加入者からメッセージ転送要求が送信されたときに、当該加入者によって送信され、未だに宛先に配信されていない待機メッセージがいずれかのメッセージ制御局に保存されているか否かを判断し、当該待機メッセージが存在しない場合には、前記第１の選択手段によって選択されたメッセージ制御局を前記メッセージ転送要求に基づいて送信されるメッセージの保存先として選択し、当該待機メッセージが存在する場合には、当該待機メッセージを保存しているメッセージ制御局を前記メッセージ転送要求に基づいて送信されるメッセージの保存先として選択する第２の選択手段と
を具備することを特徴とするサービス制御装置。
【発明の詳細な説明】
【０００１】
【発明の属する技術分野】
本発明は、メッセージ転送システム、メッセージ転送方法及びサービス制御装置に関する。
【０００２】
【従来の技術】
近年、移動端末機の通信容量の増大及びデータ処理能力の向上などを背景として移動端末機相互間で文字メッセージを転送できるサービス（以下、「メッセージ転送サービス」という。）が提供されている。
このようなメッセージ転送サービスを受けるに当たり、送信元加入者の移動端末機から送信されたメッセージは、網内に設けられたメッセージ制御局に送信され、当該メッセージ制御局から宛先加入者の移動端末機に転送されるようになっている。また、メッセージ制御局は、メッセージを転送することができなかった場合にはそのメッセージを一時保管して再度メッセージの転送を行うことができるようになっている。
【０００３】
図９および図１０は、従来のメッセージ転送システムの構成を示すブロック図である。これらの図において、移動端末機２αおよび２βは、ユーザによって携帯され、音声通信やメッセージ等のデータ通信を行うとともにメッセージの表示を行う機能を備えた端末機である。無線基地局３および４は、各々が管轄するセル内の移動端末機と無線通信を行う通信装置である。これらの無線基地局は、固定網に接続されている。メッセージ制御局５Ａおよび５Ｂと、交換局６〜９と、サービス制御局１０は、この固定網内に設けられている。
【０００４】
ここで、メッセージ制御局５Ａおよび５Ｂは、移動端末機から送信されたメッセージを記憶する装置である。移動端末機２αまたは２βから送信されたメッセージは、いずれかのメッセージ制御局に送信され、一旦、当該メッセージ制御局において保存される。そして、宛先である端末装置がそのメッセージを受け取ることができるときに、そのメッセージはメッセージ制御局から宛先に配信される。なお、この明細書では、メッセージが移動端末機からメッセージ制御局まで送られる動作を送信、そのメッセージがメッセージ制御局から宛先まで送られる動作を配信、送信および配信を合わせて転送と呼んでいる。
【０００５】
このメッセージ転送システムにおいて、各移動端末機から送信されたメッセージを記憶するメッセージ制御局は、各移動端末機毎に予め決められている。そして、各移動端末機には、当該移動端末機から送信されたメッセージを記憶するメッセージ制御局のアドレスを示す情報を記憶したメモリカードが装填されている。
【０００６】
サービス制御局１０は、加入者に対してメッセージ転送サービスを提供するための各種の機能を営む装置である。このサービス制御局１０の諸機能のうち主要なものを挙げると次の通りである。
【０００７】
ａ．加入者データの管理
サービス制御局１０は、メッセージ転送サービスの各加入者毎に加入者データを記憶している。この加入者データは、以下の情報を含んでいる。
▲１▼当該加入者の認証に必要な情報
▲２▼当該加入者宛に送信されたメッセージであって未だ当該加入者の移動端末機によって受信されておらず、いずれかのメッセージ制御局に保存されているメッセージ（以下、待機メッセージという）があるか否かの情報。また、そのような待機メッセージがある場合には、当該待機メッセージを保存しているメッセージ制御局のアドレス。以下、これらの情報を合わせて、待機メッセージ有無情報と呼ぶ。
ここで、図９および図１０には、加入者データのうち待機メッセージ有無情報ＤＭＲのみを示している。
【０００８】
ｂ．移動端末機の位置管理およびメッセージ配信管理
移動端末機は、いずれかの無線基地局のセル内に在圏すると、その移動端末機の位置情報がその無線基地局を収容する交換局を介し、サービス制御局１０に通知される。サービス制御局１０は、このようにして通知される各移動端末機の位置情報の管理を行う。また、サービス制御局１０は、ある移動端末機がいずれかの無線基地局に在圏した場合に、その移動端末機を所有する加入者に対応した待機メッセージ有無情報ＤＭＲを参照し、当該加入者宛の待機メッセージがあるかどうかを判断し、該当する待機メッセージがある場合には、その待機メッセージが保存されているメッセージ制御局に待機メッセージの配信を指令するとともに、配信を行うパスを形成するための処理（後述）を実行する。
【０００９】
ｃ．メッセージ転送のためのルーチング
移動端末機からメッセージが送信された場合、サービス制御局１０は、当該移動端末機から当該移動端末機に対応したメッセージ制御局に至るまでのパスを形成するため、そのパス上の交換局に対し、接続処理を指令する。また、あるメッセージ制御局に保存されたメッセージを宛先である移動端末機に配信することとなった場合に、当該メッセージ制御局から宛先移動端末機が在圏している無線基地局までのパスを形成するため、そのパス上の交換局に対し、接続処理を指令する。
【００１０】
ｄ．加入者の認証
メッセージの送信を行う者は、メッセージ転送サービスの加入者でなければならない。また、メッセージの受信をする者も、通信サービスの加入者でなければならない。そこで、サービス制御局は、メッセージを送信した移動端末機およびメッセージの受信を行う移動端末機が正当な加入者であるか否かの認証を行う。
【００１１】
次に、メッセージ転送システムの動作について説明する。まず、初期状態において、メッセージ転送システムには、待機メッセージが無いものとする。この状態において  加入者αから加入者βへのメッセージの転送は、以下のようにして行われる。
【００１２】
（メッセージ送信）
メッセージ転送システムにおいて、加入者αが移動端末機２αに対して加入者βの移動端末機２β宛のメッセージの送信を指示すると、移動端末機２αは、メッセージ転送要求を送信する（図９における▲１▼）。このメッセージ転送要求は、上述したメモリカードに記憶されたメッセージ制御局（例えばメッセージ制御局５Ａ）のアドレス＝ａと、加入者αの加入者番号と宛先の加入者βの加入者番号等の情報を含んでいる。そして、このメッセージ転送要求は、加入者αの移動端末機２αが在圏している無線基地局３によって受信され、この無線基地局３を収容している交換局６に送られる。
【００１３】
交換局６は、このメッセージ転送要求をサービス制御局１０に通知し、発信加入者αの認証を行わせる（図９における▲２▼）。サービス制御局１０は、交換局６より供給された加入者αの加入者番号に基づいて加入者データを参照し、加入者αが正当な加入者であることの認証を行う。
【００１４】
そして、加入者αが正当な加入者であることが認証されると、サービス制御局１０は、無線基地局３からアドレス＝ａに対応するメッセージ制御局５Ａまでのパスを形成すべく交換局６および７に接続処理を指令する。このようにして、無線基地局３からメッセージ制御局５Ａまでのパスが形成された後、加入者αの移動端末機２αから加入者β宛のメッセージが送信され、メッセージ制御局５Ａまで伝送される（図９における▲３▼→▲４▼）。メッセージ制御局５Ａは、このメッセージを受信すると、メッセージを受信した旨を加入者αの移動端末機２αに通知する（図９における▲５▼→▲６▼→▲７▼）。
【００１５】
（メッセージ配信）
次に、メッセージ制御局５Ａは、宛先加入者βの加入者番号をサービス制御局１０に通知し、宛先加入者βの認証を行わせる（図９における（１））。
サービス制御局１０は、メッセージ制御局５Ａより供給された加入者βの加入者番号に基づいて加入者データを参照し、加入者βが正当な加入者であることの認証を行い、加入者βが正当な加入者であることが認証されると、加入者βの移動端末機２βの位置情報を取得する。
【００１６】
そして、サービス制御局１０は、加入者βの移動端末機２βの位置情報に基づき、メッセージ制御局５Ａから加入者βの移動端末機２βが在圏する無線基地局４までのパスを形成すべく交換局７、８および９に接続処理を指令する。このようにして、メッセージ制御局５Ａから加入者βの移動端末機２βが在圏する無線基地局４までのパスが形成された後、メッセージ制御局５Ａから加入者β宛のメッセージが無線基地局４に送信され、無線基地局４から加入者βの移動端末機２βに送信される（図９における（２）→（３）→（４）→（５））。
【００１７】
ここで、加入者βの移動端末機２βが無線基地局４のセル内に在圏していないなどにより、無線基地局４から加入者βの移動端末機２βにメッセージを送信することができなかった場合、無線基地局４は、メッセージの配信に失敗した旨をメッセージ制御局５Ａに通知する（図９における（６）→（７）→（８）→（９））。そして、メッセージ制御局５Ａは、このメッセージを保存すると共に、当該メッセージの保存先であるメッセージ制御局５Ａのアドレス＝ａをサービス制御局１０に通知する。
【００１８】
そして、サービス制御局１０は、加入者β宛の待機メッセージが有る旨の情報と、この待機メッセージが保存されているメッセージ制御局５Ａのアドレス＝ａとを含んだ待機メッセージ有無情報ＤＭＲを記憶する（図９における（１０））。
【００１９】
（待機メッセージの再配信）
図１０に示すように、加入者βの移動端末機２βがいずれかの無線基地局（例えば無線基地局４）のセル内に在圏することとなると（図１０における〈１〉）、移動端末機２βの位置情報がその無線基地局４を収容する交換局９を介してサービス制御局１０に通知される（図１０における〈２〉→〈３〉）。そして、サービス制御局１０は、移動端末機２βの位置情報をこの新たに取得した位置情報に更新するとともに、待機メッセージ有無情報ＤＭＲを参照し、この移動端末機２βを所有する加入者β宛ての待機メッセージが有るか否かを判断する。
【００２０】
ここで、加入者β宛ての待機メッセージが有る場合（図１０における〈４〉）、サービス制御局１０は、当該待機メッセージが保存されているアドレス＝ａのメッセージ制御局５Ａから無線基地局４までのパスを形成するための接続処理を交換局７、８および９に指令するとともに、メッセージ制御局５Ａに当該待機メッセージの配信を指令する（図１０における〈５〉）。そして、メッセージ制御局５Ａに保存されていた加入者β宛の待機メッセージが加入者βの移動端末機２βに配信されると、無線基地局４によりメッセージの配信に成功した旨がメッセージ制御局５Ａに通知され、メッセージ制御局５Ａは、保存していたこの加入者β宛の待機メッセージを消去する。
【０００２１】
【発明が解決しようとする課題】
ところで、このようなメッセージ転送システムにおいては、加入者の移動端末機から送信されたメッセージは、予め各移動端末機毎に決められたメッセージ制御局に送信されるようになっている。このため、一部のメッセージ制御局に障害等が発生した場合、そのメッセージ制御局がメッセージの送信先として割り当てられている移動端末機は、メッセージを送信することができなくなる問題がある。
【００２２】
また、トラヒックの増大や待機メッセージの増大により、あるメッセージ制御局が取り扱うメッセージの量がそのメッセージ制御局の収容限界に達してしまう場合が有り得る。この対策として、そのメッセージ制御局をメッセージの送信先とする全移動端末機のうちの一部について、メッセージの送信先を他のメッセージ制御局に変更することも考えられる。しかし、この対策を施すためには、メッセージ送信先の変更を行う移動端末機を全て回収し、メモリカード内のメッセージ制御局のアドレスの書き換えを行ってユーザに返却する必要があり、その実現は困難である。
【００２３】
一方、このような問題を回避するため、移動端末機毎にメッセージ制御局を固定的に割り当てる方法に代えて、網側において複数のメッセージ制御局の中から所定の順序（例えば、ラウンドロビン（負荷分散））、又はランダムにメッセージ制御局を選択する方法も考えられる。
【００２４】
しかし、この方法を採ると、例えば、同一発信者が複数回メッセージを送信した場合には、これらメッセージが複数のメッセージ制御局に跨って送信される場合があり、メッセージの管理が困難になるという問題がある。すなわち、同一発信者の待機メッセージが複数のメッセージ制御局に保存され、発信者による待機メッセージの削除等が困難になる場合や発信者が意図した送信順序で配信されないという不都合が生じる。
【００２５】
本発明は上述した事情に鑑みて為されたものであり、網側でメッセージ制御局を自由に選択することができ、かつ、配信未了で網内に待機しているメッセージの管理を容易にすることができるメッセージ転送システム、メッセージ転送方法及びサービス制御装置を提供することを目的とする。
【００２６】
【課題を解決するための手段】
請求項１に係る発明は、メッセージを保存する複数のメッセージ制御局と、複数の交換局とを具備し、前記交換局のうち必要なものを介して、加入者から送信されたメッセージをいずれかのメッセージ制御局に到達させるとともに、前記交換局のうち必要なものを介して、メッセージ制御局に保存されたメッセージをその宛先である加入者に到達させるメッセージ転送システムにおいて、
前記加入者からメッセージ転送要求が送信されたときにメッセージ制御局を所定の方法により選択する第１の選択手段と、
前記加入者からメッセージ転送要求が送信されたときに、当該加入者によって送信され、未だに宛先に配信されていない待機メッセージがいずれかのメッセージ制御局に保存されているか否かを判断し、当該待機メッセージが存在しない場合には、前記第１の選択手段によって選択されたメッセージ制御局を前記メッセージ転送要求に基づいて送信されるメッセージの保存先として選択し、当該待機メッセージが存在する場合には、当該待機メッセージを保存しているメッセージ制御局を前記メッセージ転送要求に基づいて送信されるメッセージの保存先として選択する第２の選択手段と
を網内に具備することを特徴とするメッセージ転送システムを提供するものである。
【００２７】
請求項２に係る発明は、各加入者毎に、当該加入者によって送信され、宛先である加入者に配信されていない待機メッセージの有無と、当該待機メッセージの保存先であるメッセージ制御局のアドレスとを含む待機メッセージ有無情報を記憶する記憶手段を網内に具備し、
前記第２の選択手段は、前記加入者からメッセージ転送要求が送信されたときに、前記記憶手段に記憶された当該加入者に対応した待機メッセージ有無情報に基づき、当該加入者によって送信された待機メッセージの有無および当該待機メッセージの保存先を判断することを特徴とする請求項１に記載のメッセージ転送システムを提供するものである。
【００２８】
請求項３に係る発明は、前記交換局のうち必要なものを介して、加入者から送信されたメッセージをいずれかのメッセージ制御局に到達させる接続処理の制御を行うとともに、前記交換局のうち必要なものを介して、メッセージ制御局に保存されたメッセージをその宛先である加入者に到達させる接続処理の制御を行うサービス制御局を具備することを特徴とする請求項１または２に記載のメッセージ転送システムを提供するものである。
【００２９】
請求項４に係る発明は、各加入者から送信されたメッセージを各メッセージ制御局に到達させる接続処理を行うための制御情報と、各メッセージ制御局に保存されたメッセージを各加入者に到達させる接続処理を行うための制御情報とを記憶するサービス制御局を具備し、関係する前記交換局が、前記サービス制御局に記憶された制御情報を参照することにより、加入者から送信されたメッセージを前記第２の選択手段によって選択されたメッセージ制御局に到達させる接続処理と、当該メッセージ制御局に保存されたメッセージをその宛先である加入者に到達させる接続処理とを自律的に実行することを特徴とする請求項１または２に記載のメッセージ転送システムを提供するものである。
【００３０】
請求項５に係る発明は、前記交換局が前記第１の選択手段を具備し、前記サービス制御局が前記第２の選択手段を具備することを特徴とする請求項３または４に記載のメッセージ転送システムを提供するものである。
【００３１】
請求項６に係る発明は、前記サービス制御局が前記第１の選択手段および第２の選択手段を具備することを特徴とする請求項３または４に記載のメッセージ転送システムを提供するものである。
【００３２】
請求項７に係る発明は、前記交換局のいずれかに接続された複数の無線基地局と、前記無線基地局を介して他者との通信を行う移動端末機とを具備し、
前記サービス制御局は、いずれかの無線基地局に移動端末機が在圏したときに、当該移動端末機宛ての待機メッセージがいずれかのメッセージ制御局に保存されているか否かを判断し、当該待機メッセージが保存されている場合にはその保存先であるメッセージ制御局から当該移動端末機の在圏先である無線基地局までの接続制御を行って、当該メッセージ制御局に待機メッセージの配信を指令することを特徴とする請求項３に記載のメッセージ転送システムを提供するものである。
【００３３】
請求項８に係る発明は、  前記交換局のいずれかに接続された複数の無線基地局と、前記無線基地局を介して他者との通信を行う移動端末機を具備し、
前記交換局は、当該交換局に接続された無線基地局に移動端末機が在圏したときに、当該移動端末機宛ての待機メッセージがいずれかのメッセージ制御局に保存されているか否かを判断し、当該待機メッセージが保存されている場合にはその保存先であるメッセージ制御局から当該移動端末機の在圏先である無線基地局までの接続処理を、関係する他の交換局と協働して実行し、当該メッセージ制御局に待機メッセージの配信を指令する手段を具備することを特徴とする請求項４に記載のメッセージ転送システムを提供するものである。
【００３４】
請求項９に係る発明は、メッセージを保存する複数のメッセージ制御局と、複数の交換局とを具備し、前記交換局のうち必要なものを介して、加入者から送信されたメッセージをいずれかのメッセージ制御局に到達させるとともに、前記交換局のうち必要なものを介して、メッセージ制御局に保存されたメッセージをその宛先である加入者に到達させるメッセージ転送システムにおけるメッセージ転送方法において、
前記加入者からメッセージ転送要求が送信されたときにメッセージ制御局を所定の方法により選択する第１の選択処理と、
前記加入者からメッセージ転送要求が送信されたときに、当該加入者によって送信され、未だに宛先に配信されていない待機メッセージがいずれかのメッセージ制御局に保存されているか否かを判断し、当該待機メッセージが存在しない場合には、前記第１の選択処理によって選択されたメッセージ制御局を前記メッセージ転送要求に基づいて送信されるメッセージの保存先として選択し、当該待機メッセージが存在する場合には、当該待機メッセージを保存しているメッセージ制御局を前記メッセージ転送要求に基づいて送信されるメッセージの保存先として選択する第２の選択処理と
を網内の装置が実行することを特徴とするメッセージ転送方法を提供するものである。
【００３５】
請求項１０に係る発明は、前記メッセージ転送要求を受け取った交換局が前記第１の選択処理を実行し、網内のサービス制御局が前記第２の選択処理を実行することを特徴とする請求項９に記載のメッセージ転送方法を提供するものである。
【００３６】
請求項１１に係る発明は、網内のサービス制御局が、前記第１の選択処理および前記第２の選択処理を実行することを特徴とする請求項９に記載のメッセージ転送方法を提供するものである。
【００３７】
請求項１２に係る発明は、メッセージを保存する複数のメッセージ制御局と、複数の交換局とを具備し、前記交換局のうち必要なものを介して、加入者から送信されたメッセージをいずれかのメッセージ制御局に到達させ、前記交換局のうち必要なものを介して、メッセージ制御局に保存されたメッセージをその宛先である加入者に到達させるメッセージ転送システムにおけるサービス制御装置において、
前記加入者からメッセージ転送要求が送信されたときにメッセージ制御局を所定の方法により選択する第１の選択手段と、
前記加入者からメッセージ転送要求が送信されたときに、当該加入者によって送信され、未だに宛先に配信されていない待機メッセージがいずれかのメッセージ制御局に保存されているか否かを判断し、当該待機メッセージが存在しない場合には、前記第１の選択手段によって選択されたメッセージ制御局を前記メッセージ転送要求に基づいて送信されるメッセージの保存先として選択し、当該待機メッセージが存在する場合には、当該待機メッセージを保存しているメッセージ制御局を前記メッセージ転送要求に基づいて送信されるメッセージの保存先として選択する第２の選択手段と
を具備することを特徴とするサービス制御装置を提供するものである。
【００３８】
【発明の実施の形態】
以下、適宜図面を参照しながら本発明の実施形態について説明する。
【００３９】
（１）  実施形態
（２）  実施形態の構成
図１から図８は、本発明の第１実施形態に係るメッセージ転送システムの構成を示すブロック図である。このメッセージ転送システムは、移動端末機２２αおよび２２βと、固定網に接続された無線基地局２３および２４と、この固定網内に設けられたメッセージ制御局２５Ａおよび２５Ｂと、交換局２６〜２９と、サービス制御局３０とから構成される。
このメッセージ転送システムにおいては、移動端末機からメッセージが送信された場合、交換局２６〜２９またはサービス制御局３０が当該メッセージを記憶するメッセージ制御局を決定するようになっている。
【００４０】
すなわち、従来とは異なり、各移動端末機に装填されているメモリカードには当該移動端末機から送信されたメッセージを保存するメッセージ制御局のアドレスを示す情報が記憶されていない。また、各移動端末機から送信されるメッセージ転送要求には、そのメッセージの保存先であるメッセージ制御局を指定する情報は含まれていない。
【００４１】
サービス制御局３０は、従来の当該加入者の認証に必要な情報と待機メッセージ有無情報ＤＭＲに加えて、当該加入者が発信した待機メッセージがあるか否かの情報と、当該待機メッセージを保存しているメッセージ制御局のアドレスとを含む発信側待機メッセージ有無情報ＤＭＳを加入者データとして記憶している。サービス制御局３０は、ある加入者からメッセージ転送要求が送信された場合に、その加入者に対応した発信側待機メッセージ有無情報ＤＭＳに基づいて、当該加入者が送信した待機メッセージが保存されているか否かを判断し、保存されている場合にその保存先であるメッセージ制御局を特定することができる。
【００４２】
本発明においては、加入者によって送信されたメッセージの保存先であるメッセージ制御局を決定するための手段を網側に配置する。そして、本実施形態では、かかる手段は各交換局とサービス制御局に設けられている。すなわち、各交換局（例えば交換局２６）は、ある加入者が送信したメッセージ転送要求を受け取ると、当該交換局が管理しているメッセージ制御局（アドレス＝ａ、ｂ、ｃ）の中から正常に動作しているメッセージ制御局をラウンドロビン方式により選択し、選択したメッセージ制御局をメッセージ転送要求と共に、サービス制御局に通知するようになっている。なお、各交換局がメッセージ制御局を選択する方法は、ラウンドロビンに限らず、ランダムに選択するなど様々な方法を適用することができる。サービス制御局は、メッセージ転送要求の送信元である加入者が過去発信したメッセージがいずれかのメッセージ制御局に待機メッセージとして保存されていないかどうかを判断する。そして、該当する待機メッセージが存在しない場合には、交換局から通知を受けたメッセージ制御局をメッセージ転送要求に係るメッセージの保存先として選択する。一方、該当する待機メッセージが存在する場合には、その待機メッセージを保存しているメッセージ制御局をメッセージ転送要求に係るメッセージの保存先として選択する。
【００４３】
（３）  実施形態の動作
次に、メッセージ転送システムの動作について説明する。まず、初期状態において、メッセージ転送システムには、待機メッセージが無いものとする。この状態において  加入者αから加入者β及び加入者γへのメッセージの転送は、以下のようにして行われる。
（３−１）  メッセージ送信（加入者α→加入者β）
図１に示すように、メッセージ転送システムにおいて、加入者αが移動端末機２２αに対して加入者βの移動端末機２２β宛のメッセージの送信を指示すると、移動端末機２２αは、メッセージ転送要求を送信する（図１における▲１▼）。このメッセージ転送要求は、加入者αの加入者番号と宛先の加入者βの加入者番号等の情報を含んでいる。そして、このメッセージ転送要求は、加入者αの移動端末機２２αが在圏している無線基地局２３によって受信され、この無線基地局２３を収容している交換局２６に送られる。
交換局２６は、このメッセージ転送要求をサービス制御局３０に通知し、メッセージを送信した加入者αの認証を行わせる（図１における▲２▼）。このとき、交換局２６は、当該交換局が管理しているメッセージ制御局（アドレス＝ａ、ｂ、ｃ）のうち正常に動作しているメッセージ制御局（アドレス＝ａ、ｂ）の中からラウンドロビン方式により例えばメッセージ制御局２５Ａ（アドレス＝ａ）を選択し（図１における▲３▼）、選択したメッセージ制御局のアドレス＝ａをサービス制御局３０に通知する。
【００４４】
サービス制御局３０は、交換局２６より供給されたメッセージ転送要求中の加入者番号に基づいて加入者データを参照し、加入者αが正当な加入者であることの認証を行う。そして、加入者αが正当な加入者であることが認証されると、発信側待機メッセージ有無情報ＤＭＳを参照し、加入者αが送信した待機メッセージがあるか否かを判断する。
そして、サービス制御局３０は、加入者αが発信した待機メッセージが無いことを確認すると、加入者αから送信されるメッセージの保存先として、交換局２６から通知を受けたメッセージ制御局２５Ａを選択する。そして、無線基地局２３からこのメッセージ制御局２５Ａまでのパスを形成すべく交換局２６、２７に接続処理を指令する。このようにして、無線基地局２３からメッセージ制御局２５Ａまでのパスが形成された後、加入者αの移動端末機２２αから加入者β宛のメッセージが送信され、メッセージ制御局２５Ａまで伝送される（図１における▲４▼→▲５▼）。
メッセージ制御局２５Ａは、このメッセージを受信すると、当該メッセージを一旦保存し（図１における▲６▼）、メッセージを受信した旨を加入者αの移動端末機２２αに通知する（図１における▲７▼→▲８▼→▲９▼）
【００４５】
（３−２）  メッセージ配信（加入者α→加入者β）
次に、図２に示すように、メッセージ制御局２５Ａは、受信したメッセージの宛先の加入者βの加入者番号をサービス制御局３０に通知し、加入者βの認証を行わせる（図２における（１））。
サービス制御局３０は、メッセージ制御局２５Ａより供給された加入者βの加入者番号に基づいて加入者データを参照し、加入者βが正当な加入者であることの認証を行い、加入者βが正当な加入者であることが認証されると、加入者βの移動端末機２２βの位置情報を取得する。
そして、サービス制御局３０は、加入者βの移動端末機２２βの位置情報に基づき、メッセージ制御局５Ａから加入者βの移動端末機２２βが在圏する無線基地局４までのパスを形成すべく交換局２７、２８、２９に接続処理を指令する。このようにして、メッセージ制御局２５Ａから加入者βの移動端末機２２βが在圏する無線基地局２４までのパスが形成された後、メッセージ制御局２５Ａから加入者β宛のメッセージが無線基地局２４に送信され、無線基地局２４から加入者βの移動端末機２２βに送信される（図２における（２）→（３）→（４）→（５））。
ここで、加入者βの移動端末機２２βが無線基地局２４のセル内に在圏していないなどにより、無線基地局２４から加入者βの移動端末機２２βにメッセージを送信することができなかった場合、無線基地局２４は、メッセージの配信に失敗した旨をメッセージ制御局２５Ａに通知する（図２における（６）→（７）→（８）→（９））。
この場合、メッセージ制御局２５Ａは、このメッセージを保存し、当該メッセージの保存先である自己のアドレス＝ａをサービス制御局３０に通知する（図２における（１０））。
そして、サービス制御局３０は、加入者β宛の待機メッセージが有る旨の情報と、当該待機メッセージを保存しているメッセージ制御局５Ａのアドレス＝ａとを含む待機メッセージ有無情報ＤＭＲを記憶するとともに、加入者αが送信した当該待機メッセージがある旨の情報と当該待機メッセージを保存しているメッセージ制御局５Ａのアドレス＝ａとを含む発信側待機メッセージ有無情報ＤＭＳを記憶する（図２における（１１））。
【００４６】
（３−３）  メッセージ送信（加入者α→加入者γ）
その後、図３に示すように、加入者αが移動端末機２２αに対して加入者γの移動端末機２２宛てのメッセージの送信を指示すると、移動端末機２２αは、メッセージ転送要求を送信する。このメッセージ転送要求は、加入者αの加入者番号と宛先の加入者γの加入者番号等の情報を含んでおり、移動端末機２２αが在圏している無線基地局２３によって受信され、この無線基地局２３を収容している交換局２６に送られる（図３における▲１▼）。
交換局２６は、このメッセージ転送要求をサービス制御局３０に通知し、メッセージを送信する加入者αの認証を行わせる（図３における▲２▼）。また、交換局２６は、加入者αによって送信されるメッセージの保存先であるメッセージ制御局をラウンドロビン方式により選択し、そのメッセージ制御局のアドレスをサービス制御局３０に通知する。
サービス制御局３０は、交換局２６より供給された加入者αの加入者番号に基づいて加入者データを参照し、加入者αが正当な加入者であることが認証されると、発信側待機メッセージ有無情報ＤＭＳを参照し、加入者αが送信した待機メッセージがあるか否かを判断する。
そして、サービス制御局３０は、加入者αが発信した待機メッセージがあることを確認すると（図３における▲３▼）、当該待機メッセージを保存しているアドレス＝ａに対応するメッセージ制御局２５Ａを、加入者αによって送信されるメッセージの保存先として選択する。次いで、無線基地局２３からこのメッセージ制御局２５Ａまでのパスを形成すべく交換局２６、２７に接続処理を指令する。このようにして、無線基地局２３からメッセージ制御局２５Ａまでのパスが形成された後、加入者αの移動端末機２２αから加入者γ宛のメッセージが送信され、メッセージ制御局２５Ａまで伝送され（図３における▲４▼→▲５▼）、メッセージ制御局２５Ａに一旦保存される（図３における▲６▼）。
メッセージ制御局２５Ａは、このメッセージを受信すると、当該メッセージを受信した旨を加入者αの移動端末機２２αに通知する（図３における▲７▼→▲８▼→▲９▼）。
このように、本実施形態によれば、加入者がメッセージ転送要求を送信した時点において、当該加入者によって送信された待機メッセージがない場合は、正常に動作しているいずれかのメッセージ制御局がメッセージ転送要求に係る新たなメッセージの保存先として選択されるのに対し、待機メッセージがいずれかのメッセージ制御局に保存されている場合は、当該待機メッセージを保存しているメッセージ制御局が新たなメッセージの保存先として選択される。
【００４７】
（３−４）  メッセージ配信（加入者α→加入者γ）
次に、メッセージ制御局２５Ａは、加入者γ宛てのメッセージを受信すると、加入者αから加入者βへのメッセージ配信と同様に、図４に示すように、サービス制御局３０にメッセージの宛先である加入者γの認証を行わせる（図４における（１））。
サービス制御局３０は、メッセージ制御局２５Ａより供給された加入者γの加入者番号に対応した加入者データを参照し、加入者γが正当な加入者であることを認証すると、加入者γの移動端末機２２γの位置情報を取得し、メッセージ制御局２５Ａから移動端末機２２γが在圏する無線基地局（例えば無線基地局２４）までのパスを形成すべく交換局２７、２８、２９に接続処理を指令する。
そして、メッセージ制御局２５Ａから加入者γの移動端末機２２γが在圏する無線基地局２４までのパスが形成された後、メッセージ制御局２５Ａから加入者γ宛のメッセージが無線基地局２４に送信され、無線基地局２４から加入者γの移動端末機２２γに送信される（図４における（２）→（３）→（４）→（５））。
ここで、加入者γが無線基地局２４のセル内の圏外に移動するなどして、無線基地局２４から加入者γの移動端末機２２γにメッセージを送信することができなかった場合、無線基地局２４は、メッセージの配信に失敗した旨をメッセージ制御局２５Ａに通知する（図４における（６）→（７）→（８）→（９））。
【００４８】
メッセージ制御局２５Ａは、メッセージの配信に失敗した旨の通知を受け取ると、当該メッセージを保存し、当該メッセージの保存先である自己のアドレス＝ａをサービス制御局３０に通知する（図４における（１０））。
サービス制御局３０は、この通知を受け取ると、加入者γ宛の待機メッセージが有る旨の情報と当該待機メッセージを保存しているメッセージ制御局５Ａのアドレス＝ａとを含む待機メッセージ有無情報ＤＭＲを記憶する（図４における（１１））。
また、サービス制御局３０は、加入者αに対応した発信者側待機メッセージ有無情報を確認する。ここで、依然、加入者αが加入者β宛てに送信したメッセージは、加入者βの移動端末機２２βに配信されておらず、待機メッセージとしてメッセージ制御局２５Ａに保存されているため、その旨を示す発信側待機メッセージ有無情報ＤＭＳがサービス制御局３０に記憶されている。そこで、サービス制御局３０は、この発信側待機メッセージＤＭＳをそのまま維持する。何故ならば、加入者αが加入者γ宛てに送信したメッセージも、加入者αが加入者β宛てに送信したメッセージと同様に、同じメッセージ制御局５Ａに保存されていることから、発信側待機メッセージ有無情報ＤＭＳの内容を変更する必要がないためである。
【００４９】
（３−５）  メッセージ再配信（加入者α→加入者β及び加入者γ）
次に、図５に示すように、加入者βの移動端末機２２βがいずれかの無線基地局（例えば無線基地局２４）のセル内に在圏することとなると（図５における〈１〉）、移動端末機２２βの位置情報がその無線基地局２４を収容する交換局２９を介してサービス制御局３０に通知される（図５において〈２〉→〈３〉）。
サービス制御局３０は、移動端末機２２βの位置情報をこの新たに取得した位置情報に更新するとともに、待機メッセージ有無情報ＤＭＲを参照し、この移動端末機２２βを所有する加入者β宛の待機メッセージが有るか否かを判断する。
ここで、加入者β宛ての待機メッセージが有ることを確認した場合（図５における〈４〉）、サービス制御局３０は、当該待機メッセージが保存されているアドレス＝ａのメッセージ制御局２５Ａから無線基地局２４までのパスを形成するための接続処理を各交換局（この例では交換局２７、２８および２９）に指令し、メッセージ制御局２５Ａに当該待機メッセージの配信を指令する（図５における〈５〉）。
【００５０】
メッセージ制御局２５Ａから無線基地局２４までのパスが形成されると、図６に示すように、メッセージ制御局２５Ａに保存されていた加入者β宛の待機メッセージが加入者βの移動端末機２２βに配信される（図６における（２）→（３）→（４）→（５））。
そして、加入者β宛の待機メッセージが加入者βの移動端末機２２βに配信されると（図６における（６））、無線基地局２４により当該待機メッセージの配信に成功した旨がメッセージ制御局２５Ａに通知される（図６における（７）→（８）→（９）→（１０））。
メッセージ制御局２５Ａは、当該待機メッセージの配信に成功した旨の通知を受け取ると保存していた加入者β宛の待機メッセージを消去し（図６における（１１））、加入者β宛の待機メッセージが消去された旨をサービス制御局３０に通知する（図６における（１２））。
そして、サービス制御局３０は、加入者βに対応した待機メッセージ有無情報ＤＭＲを待機メッセージ無しの状態に更新する（図６における（１３））。
ここで、サービス制御局３０は、加入者β宛の待機メッセージがメッセージ制御局２５Ａ以外のメッセージ制御局に残っている場合は、待機メッセージ有無情報ＤＭＲの加入者βの情報からメッセージ制御局２５Ａのアドレス＝ａのみを削除し、待機メッセージ有りの情報は維持し、加入者β宛の待機メッセージが全て加入者βの移動端末機２２βに送信されると、待機メッセージ無しの情報に更新する。
【００５１】
次に、図７に示すように、加入者γの移動端末機２２γがいずれかの無線基地局（例えば無線基地局２４）のセル内に在圏することとなると（図７における〈１〉）、上述した加入者βへのメッセージ再配信と同様に移動端末機２２γの位置情報がその無線基地局２４を収容する交換局２９を介してサービス制御局３０に通知される（図７において〈２〉→〈３〉）。
そして、サービス制御局３０は、移動端末機２２γの位置情報をこの新たに取得した位置情報に更新するとともに、待機メッセージ有無情報ＤＭＲを参照し、この移動端末機２２γを所有する加入者γ宛の待機メッセージの有無を確認する。ここで、当該待機メッセージが有った場合（図５における〈４〉）、サービス制御局３０は、当該待機メッセージが保存されているアドレス＝ａのメッセージ制御局２５Ａに待機メッセージの配信を指令する（図７における〈５〉）。
【００５２】
この場合、図８に示すように、サービス制御局３０は、メッセージ制御局２５Ａに待機メッセージの配信を指令するとともに（図８における（１））、メッセージ制御局２５Ａから加入者γの移動端末機２２γが在圏している無線基地局２４までのパスを形成すべく交換局２７、２８、２９に接続処理を指令し、パスが形成されるとメッセージ制御局２５Ａに保存されていた加入者γ宛の待機メッセージを加入者γの移動端末機２２γに配信させる（図８における（２）→（３）→（４）→（５））。
そして、加入者γ宛の待機メッセージが加入者γの移動端末機２２γに配信されると（図８における（６））、無線基地局２４により当該待機メッセージの配信に成功した旨がメッセージ制御局２５Ａに通知される（図８における（７）→（８）→（９）→（１０））。
ここで、メッセージ制御局２５Ａは、当該待機メッセージの配信に成功した旨の通知を受け取ると保存していた加入者γ宛の待機メッセージを消去し（図８における（１１））、加入者γ宛の待機メッセージが消去された旨をサービス制御局３０に通知する（図８における（１２））。
そして、サービス制御局３０は、加入者γに対応した待機メッセージ有無情報ＤＭＲを待機メッセージ無しの状態に更新するとともに（図８における（１３））、加入者αに対応した発信側待機メッセージ有無情報ＤＭＳを待機メッセージ無しの情報に更新する（図８における（１３））。
【００５３】
（４）  実施形態の効果
以上の構成によれば、メッセージ転送システムにおいては、加入者毎に当該加入者が送信した待機メッセージの有無の情報である発信側待機メッセージ有無情報ＤＭＳを記憶し、新たにメッセージを送信した加入者に当該加入者発信の待機メッセージが有る時は、その待機メッセージを保存しているメッセージ制御局に新たなメッセージを送信することにより、予めメッセージ制御局を固定的に定めなくても同一の発信者のメッセージ及び待機メッセージを一のメッセージ制御局で管理することができる。
これにより、メッセージの配信に失敗した場合でも、同一発信者の待機メッセージを一のメッセージ制御局にまとめて保存でき、待機メッセージの管理を容易に行うことができる。
さらに、同一発信者のメッセージと待機メッセージとが複数のメッセージ制御局に分散することがないので、同一の宛先に複数のメッセージを転送する場合でも発信者が送信した順番でこれらメッセージを転送することができる。
また、メッセージを送信した加入者に未だ当該加入者発信の待機メッセージが無い時は、複数のメッセージ制御局の中からメッセージを記憶するメッセージ制御局を選択させることにより、メッセージを記憶するメッセージ制御局の選択の自由度を高くすることができる。これにより、障害等が発生したメッセージ制御局を有効に回避等でき、メッセージを確実に送信及び配信させることができる。
【００５４】
（５）  変形例
（５−１）  第１変形例
上述の実施形態においては、メッセージを送信した加入者に待機メッセージが無かった場合は、そのメッセージを送信すべきメッセージ制御局を交換局に選択させる場合について述べたが、本発明はこれに限らず、この場合もサービス制御局に選択させるようにしてもよい。このようにすれば、メッセージ制御局の選択処理をサービス制御局に集中させることができ、交換局は、従来と同様の交換処理を行うだけでよくなるので、本発明のメッセージ転送システムを容易に適用することができる。
【００５５】
（５−２）  第２変形例
上述の実施形態において、メッセージは文字情報に限らず、画像データや、オーディオデータなど様々な情報である。
【００５６】
（５−３）  第３変形例
上述の実施形態においては、移動端末機から移動端末機にメッセージを転送する場合について述べたが、本発明はこれに限らず、メッセージの送信元は移動端末機に限らず、固定された端末機でもよい。
【００５７】
（５−４）  第４変形例
上記実施形態では、各加入者毎に、当該加入者によって送信され、宛先である加入者に配信されていない待機メッセージの有無と、当該待機メッセージの保存先であるメッセージ制御局のアドレスとを含む待機メッセージ有無情報を記憶する記憶手段を網内のサービス制御局内に設けたが、かかる記憶手段をサービス制御局以外の装置に設けてもよい。
【００５８】
（５−５）  第５変形例
上記実施形態では、交換局のうち必要なものを介して、加入者から送信されたメッセージをいずれかのメッセージ制御局に到達させる接続処理の制御を行うとともに、交換局のうち必要なものを介して、メッセージ制御局に保存されたメッセージをその宛先である加入者に到達させる接続処理の制御をサービス制御局が行った。しかし、本発明の適用範囲はこのようなシステムに限定されるものではなく、サービス制御局はルーチングに必要な情報の記憶のみを行い、交換局の自律的な制御により次のような手順でメッセージ転送を行うようにシステムを構成してもよい。
（i）ある移動端末機からメッセージ転送要求があったとき、その移動端末機の在圏先である無線基地局を収容する交換局は、サービス制御局に記憶された当該移動端末機に対応した発信側待機メッセージ有無情報を参照して、そのメッセージの保存先であるメッセージ制御局を決定し、関係する交換局と連係して自律的に当該メッセージ制御局までのルーチングを行う。
（ii）ある無線基地局に移動端末機が在圏したとき、その在圏先である無線基地局を収容する交換局は、サービス制御局に記憶された当該移動端末機に対応した待機メッセージ有無情報を参照し、その移動端末機宛ての待機メッセージの有無を判定し、該当する待機メッセージがある場合にはその保存先であるメッセージ制御局を求める。そして、この交換局は、関連する交換局と協働して、当該無線基地局から当該メッセージ制御局までのルーチングを行い、当該メッセージ制御局にメッセージ配信の指示を送る。
【００５９】
【発明の効果】
上述したように本発明のメッセージ転送システムは、加入者からメッセージ転送要求が送信されたときに、当該加入者によって送信され、未だに宛先に配信されていない待機メッセージがいずれかのメッセージ制御局に保存されているか否かを判断し、当該待機メッセージが存在しない場合には、所定の方法によって選択されたメッセージ制御局をメッセージ転送要求に基づいて送信されるメッセージの保存先として選択し、当該待機メッセージが存在する場合には、当該待機メッセージを保存しているメッセージ制御局をメッセージ転送要求に基づいて送信されるメッセージの保存先として選択することにより、網側でメッセージ制御局を自由に選択することができ、かつ、配信未了で網内に待機しているメッセージの管理を容易にすることができる。
【図面の簡単な説明】
【図１】本発明の実施形態に係るメッセージ転送システムのメッセージ送信の説明に供するブロック図である。
【図２】前記メッセージ転送システムのメッセージ配信の説明に供するブロック図である。
【図３】前記メッセージ転送システムのメッセージ送信の説明に供するブロック図である。
【図４】前記メッセージ転送システムのメッセージ配信の説明に供するブロック図である。
【図５】前記メッセージ転送システムのメッセージ再配信の説明に供するブロック図である。
【図６】図５の続きのブロック図である。
【図７】図６の続きのブロック図である。
【図８】図７の続きのブロック図である。
【図９】従来のメッセージ転送システムのメッセージ送信とメッセージ配信の説明に供するブロック図である。
【図１０】従来のメッセージ転送システムの待機メッセージの再配信の説明に供するブロック図である。
【符号の説明】
２α、２β、２２α、２２β、２２γ……移動端末機、５Ａ、５Ｂ、２５Ａ、２５Ｂ……メッセージ制御局、６〜９、２６〜２９……交換局、１０、３０……サービス制御局（メッセージ制御装置）、α、β、γ……加入者、ＤＭＲ……待機メッセージ有無情報、ＤＭＳ……発信側待機メッセージ有無情報
【図１】
0003617794.tif 000002
【図２】
0003617794.tif 000003
【図３】
0003617794.tif 000004
【図４】
0003617794.tif 000005
【図５】
0003617794.tif 000006
【図６】
0003617794.tif 000007
【図７】
0003617794.tif 000008
【図８】
0003617794.tif 000009
【図９】
0003617794.tif 000010
【図１０】
0003617794.tif 000011